(57)【特許請求の範囲】
【請求項１】
ケース本体と、ケース本体に開閉自在に取着された蓋と、化粧料の収納皿と、複数個の収納皿を着脱自在とし、ケース本体に装着される皿枠とを備えたコンパクトであって、
それぞれの収納皿の左右の巾を同一とし、前後の側壁には係止凹部を設けており、
皿枠には、各収納皿に対応して端縁に前記係止凹部に係合する係合部を設けた舌片を配設し、
ケース本体、またはケース本体に取着された中枠に、前記舌片と対向する位置に舌片を押圧するリブを配設したことを特徴とするコンパクト。
【発明の詳細な説明】
【０００１】
【発明の属する技術分野】
本発明は、コンパクト、とくに内部に複数の化粧料収納皿を着脱自在として装着したコンパクトに関する。
【０００２】
【従来の技術】
コンパクトのケース本体に化粧料収納容器を装着し、収納容器を取り替えることによって、所望する化粧料を選択、収納させること、あるいは新しい化粧料に取り替えることは従来より知られている。
【０００３】
【発明が解決しようとする課題】
しかしながら、従来のコンパクトは、コンパクトに収納される化粧料収納容器が単数であるため、所望する化粧料、あるいは化粧料の色合いに応じてその数だけのコンパクトが必要となり、数多くのコンパクトを取りそろえなければならなず、そのため、コンパクトの数が多くなって保管場所もかさばるという問題があった。
また、使用に際して、収納されている内容物、その色合いなどを確認するため、場合によっては開蓋しなければならず、手間がかかり面倒でもあるという問題があった。
【０００４】
本発明は、上記の問題点を解決することを技術的課題として、所望する複数の化粧料を一個のコンパクトに収納するよう、複数個の化粧料収納皿を着脱自在に装着するようにしたコンパクトを提供することを目的とする。
【０００５】
【課題を解決するための手段】
本発明は、上記の技術的課題を達成するため、コンパクトとして、ケース本体と、ケース本体に開閉自在に取着された蓋と、化粧料の収納皿と、複数個の収納皿を着脱自在とし、ケース本体に装着される皿枠とを備えたコンパクトであって、それぞれの収納皿の左右の巾を同一とし、前後の側壁には係止凹部を設けており、皿枠には、各収納皿に対応して端縁に前記係止凹部に係合する係合部を設けた舌片を配設し、ケース本体、またはケース本体に取着された中枠に、前記舌片と対向する位置に舌片を押圧するリブを配設したことを特徴とする構成を採用する。
【０００６】
【発明の実施の形態】
次に、本発明の実施形態について、図面を参照して説明する。
図１において、Ａはケース本体、Ｂは蝶番によってケース本体に開閉自在に取着された蓋、Ｃはケース本体に取着された中枠、Ｄは前記中枠Ｃに嵌着される皿枠、Ｅは皿枠Ｄに保持される化粧料の収納皿である。
【０００７】
図１，２に示すように、ケース本体Ａは、底壁１と、前面壁２ａと後面壁２ｂ、二つの側面壁２ｃ，ｄとからなる周壁２とを有している。
前面壁２ａの中央部には切欠３が形成され、切欠面３ａの中央部にはフック４が設けられている。
後面壁２ｂの中央部には切欠５が設けられ、切欠５に対向する両側の後面壁２ｂには軸孔６が穿設されている。
周壁２内側には、後面壁２ｂに沿って中枠Ｃを嵌着するための係止板７が底壁１から立設されており、該係止板７に平行して所定の間隔を置いて係止板８が立設されている。
【０００８】
蓋Ｂは、頂壁１０と該頂壁１０の周囲から下方に垂下する前後の突出縁１１ａ，ｂ、側突出縁１１ｃ，ｄとを有している。
前突出縁１１ａに沿って、頂壁１０から先端にフック１２を設けた係止片１３が立設されている。
後突出縁１１ｂは広巾になっており、中央部には取付片１４が垂設され、取付片１４に軸孔１５が穿設されている。
軸孔１５には、前記ケース本体Ａの後面壁２ｂに穿孔された軸孔６を通って蝶番ピン１６が挿嵌され、蓋体Ｂは、蝶番ピン１６によって開閉自在としてケース本体Ａに取着されて、閉蓋時には、フック１２がフック４に係合して係止状態を維持するようになっている。
図中１７は、頂壁１０裏面に取着された鏡である。
【０００９】
図３に示すように、中枠Ｃは、内側に段部２０を形成した四角形の上枠板２１ａ，ｂ，ｃ，ｄと、上枠板２１の各内周縁より垂下する側板２２ａ，ｂ，ｃ，ｄとを有している。
ケース本体Ａ前面側の前上枠板２１ａは前方に延長され、その端縁から仕切板２３が垂下され、ケース本体Ａ内を前後二つの室２４，２５に区画している。
前室２４には、刷毛、筆などの塗布用具が収納され、後室２５には化粧料が収納されている。
側板２２ｂの外方には、上枠板２１ｂから嵌挿板２６が垂設されており、ケース本体Ａの後面壁２ｂと係止板７との間に嵌合されるようになっている。
前後の側板２２ａ、２２ｂの内面には、上下に延びる複数個のリブ２７が突設されており、中枠Ｃの側板２２ａ，ｂの外周は、ケース本体Ａの係止板７，８に係合して位置決めされる。
【００１０】
上記実施形態では、中枠Ｃをケース本体Ａとは別個にしているが、ケース本体Ａの内部を中枠Ｃの周面と同一形状に成形して中枠を省略してもよい。
【００１１】
図４に示すように、皿枠Ｄは、底板３０と該底板３０の周縁に立設された前後壁板３１ａ，ｂと側壁板３２ａ，ｂとを有しており、各壁板３１，３２の上端には、外方に突出する突出縁３３が設けられている。
前後の壁板３１ａ，ｂには、対となる縦溝３４ａ，ｂと、縦溝の上端を結ぶ横溝３５が刻設され、所定数の舌片３６が形成されている。
各舌片３６の上端には、内方に突出する係合部３７が設けられている。
【００１２】
図５に示すように、収納皿Ｅは、底板４０と前後の側壁４１ａ，ｂと左右の側壁４１ｃ，ｄとからなる側周壁４１を備えており、前後の側壁４１ａ，ｂには係止凹部４２が設けられ、底板４０との間には面取りが行われ、傾斜面４３が形成されている。
【００１３】
つぎに、本実施形態のコンパクトの使用態様と構成に基づく作用効果について説明する。
化粧料の収納皿のそれぞれには、ファンデーションパフダー、フェースパウダー、頬紅、眉墨、口紅あるいはアイシャドーなどの種類の異なる化粧料、あるいは色合いの異なる同種の化粧料が収納されている。
使用者は、種類、色合いの異なる化粧料の中から所望する化粧料を収納した収納皿を選択して皿枠に嵌着し、それを中枠Ｃ内に押し入れ、コンパクト本体にセットする。
【００１４】
収納皿Ｅを皿枠Ｄに嵌着するときには、化粧料収納皿Ｅを定位置で押し込むと、収納皿Ｅの傾斜面４３は皿枠Ｄの舌片３６の係合部３７を押し広げつつ皿枠Ｄに嵌挿され、定位置まで押し込むと係合部３７が収納皿Ｅの係止凹部４２に係合して皿枠Ｄに嵌着される。
皿枠Ｄを中枠Ｃ内に押し入れたときには、中枠Ｃのリブ２７によって舌片３６の内側が押され、係合部３７が収納皿Ｅの係止凹部４２に確実に係止されることになり、所望する化粧料がコンパクトのケース本体Ａ内にセットされることになる。
【００１５】
皿枠Ｄを中枠Ｃから取り外し収納皿Ｅを持ち上げると、収納皿Ｅの側壁４１ａ，ｂによって、係合部３７ひいては舌片３６が広げられるので、収納皿Ｅを取り外すことも容易にできる。
【００１６】
収納皿Ｅの嵌着時に、収納皿Ｅを定位置で押し込むと収納皿Ｅの係止凹部４２に舌片３６の係合部３７が係合するので、図では５個の収納皿Ｅを装着できるようになっているが、収納皿Ｅを皿枠Ｄの全部の舌片３６に嵌着しなくてもよく、例えば２，３個の収納皿Ｅを皿枠Ｄに保持させることもできる。
【００１７】
次に、本発明の第２実施形態について、図面を参照して説明する。
本実施形態は、前記第１実施形態において、ケース本体の構成を変えて中枠を廃するとともに、皿枠の構成を変更するものである。
図６において、Ａ１はケース本体、Ｂ１は蝶番によってケース本体Ａ１に開閉自在に取着された蓋、Ｄ１はケース本体の収容部に嵌着される皿枠、Ｅ１は皿枠Ｄ１に保持される化粧料の収納皿である。
【００１８】
図６，７に示すように、ケース本体Ａ１は、底壁５０と、前面壁５１ａと後面壁５１ｂと二つの側面壁５１ｃ，ｄとからなる周壁５１を有している。
前面壁５１ａの中央部には切欠５２が形成され、切欠面５２ａの中央部にはフック５３が設けられている。
後面壁５１ｂの中央部には切欠５４が設けられ、該切欠５４に対向する両側の後面壁５１ｂには軸孔５５が穿設されている。
ケース本体Ａ１内を、前後二つの室に区画するよう所定位置において底壁５０から仕切板５６が立設されている。前室は塗布用具収納部５７、後室は化粧料収納部５８を形成している。
仕切板５６の後側面と後面壁５１ｂの内面には、上下に延びる複数個のリブ５９が突設されている。
【００１９】
蓋Ｂ１は、頂壁６０と該頂壁６０の周囲から下方に垂下する前後の縁枠６１ａ，ｂ、側縁枠６１ｃ，ｄとを有している。
前縁枠６１ａに沿って、頂壁６０から先端にフック６２を設けた係止片６３が立設されている。
係止片６３の外側には外周壁６４と下板６５とからなる開蓋操作部６６が垂設されている。
【００２０】
後縁枠６１ｂの中央部には取付片６７が垂設され、該取付片６７には軸孔６８が穿設されている。
軸孔６８には、前記ケース本体Ａの後面壁５１ｂに穿孔された軸孔５５を通って蝶番ピン６９が挿嵌され、蓋体Ｂ１は、蝶番ピン６９によって開閉自在としてケース本体Ａ１に取着されて、閉蓋時には、フック６２がフック５３に係合して係止状態を維持するようになっている。
【００２１】
図７に示すように、皿枠Ｄ１は、左右の側板７０ａ，ｂと該側板７０の前後上端部の間に架設された前後の上横桁７１ａ，ｂと前後下端部の間に架設された下横桁７２ａ，ｂとを有しており、上横桁７１ａ，ｂの外周端は、側板７０上端部より外方に突出する突出縁となっている。
前記下横桁７２ａ，ｂは、下端を内方に突出する突出縁７３とした断面台形であり、一定の間隔をおいて所定数の舌片７４が配設されている。
各舌片７４は上方が外側に傾斜するよう形成されており、その上端には、内方に突出する係合部７５が設けられている。
【００２２】
図８に示すように、収納皿Ｅ１は、底板８０と前後の側壁８１ａ，ｂと左右の側壁８１ｃ，ｄとからなる側周壁８１を備えており、前後の側壁８１ａ，ｂには係止凹部８２が設けられ、底板８０との間には面取りが行われ、傾斜面８３が形成されている。
【００２３】
つぎに、本実施形態の構成に基づいて、作用効果について説明する。
本実施形態では、収納皿Ｅ１を皿枠Ｄ１に載置するときは、収納皿Ｅ１は下横桁７２の突出縁７３によって保持され、次いで、皿枠Ｄ１をケース本体Ａ１の化粧料収納部５８に押し込むと、リブ５９が舌片７４を内方に廻動させて押し狭め、舌片７４の係合部７５が収納皿Ｅ１の係止凹部８２に係合して、収納皿Ｅ１を定位置に嵌着することになる。
使用者は所望する化粧料を収納した収納皿Ｅ１を選択して皿枠Ｄ１に嵌着することによって、前実施形態と同様に、所望する化粧料をコンパクトにセットすることができ、収納皿Ｅ１の取り外しも、皿枠Ｄ１をケース本体Ａ１から外すだけで簡単にできる。
【００２４】
前記各実施形態では、収納皿を５個としたが、その数は複数であればよく、また、収納皿を複数室に分けてもよい。
また、化粧料に応じて、それぞれの収納皿の巾、すなわち容積を変え、化粧料をほぼ同時に使い切るようにしてもよい。
【００２５】
【発明の効果】
本発明は、上記のように構成されているから、次の効果を奏する。
複数個の収納皿を着脱自在とし、皿枠をケース本体に装着するようにしたから所望する異種の化粧料あるいは同種の化粧料で色合いの異なる化粧料を選択してコンパクトのケース本体内にセットすることができ、また、化粧料の取り変えも容易にできる。
【図面の簡単な説明】
【図１】本発明の第１実施形態のコンパクトの分解斜視図である。
【図２】開蓋時のコンパクトで、中枠を装着したケース本体の側面図である。
【図３】中枠の説明図で、（ａ）は平面図、（ｂ）は図（ａ）のＡ−Ａ線における断面図である。
【図４】皿枠の説明図で、（ａ）は正面図、（ｂ）は図（ａ）のＡ−Ａ線における一部断面側面図である。
【図５】収納皿の一部断面側面図である。
【図６】  第２実施形態コンパクトの説明図で、（ａ）は側面図、（ｂ）は平面図である。
【図７】  皿枠の説明図で、（ａ）は正面図、（ｂ）は図（ａ）のＡ−Ａ線における一部断面側面図である。
【図８】収納皿の一部断面側面図である。
【図９】  収納皿と皿枠の関係説明図で、（ａ）は収納皿載置時、（ｂ）は皿枠セット時の状態の側面図である。
【符号の説明】
Ａ、Ａ１              ケース本体
Ｂ、Ｂ１              蓋
Ｃ                    中枠
Ｄ、Ｄ１              皿枠
Ｅ、Ｅ１              収納皿
１、５０              底壁
２、５１              周壁
２ａ、５１ａ          前面壁
２ｂ、５１ｂ          後面壁
２１ａ，ｂ，ｃ，ｄ    上枠板
２２ａ，ｂ，ｃ，ｄ    側板
２４、５７            前室
２５、５９            後室
２７、５９            リブ
３０                  底板
３１ａ，ｂ            前後壁板
３２ａ，ｂ            側壁板
３４ａ，ｂ            縦溝
３５                  横溝
３６、７４            舌片
３７、７５            係合部
４０、８０            底板
４１ａ，ｂ、８１ａ，ｂ    側壁
４２、８２            係止凹部
４３、８３            傾斜面
７０ａ，ｂ            側板
７１ａ，ｂ            上横桁
７２ａ，ｂ            下横桁
【図１】
0004281882.tif 000002
【図２】
0004281882.tif 000003
【図３】
0004281882.tif 000004
【図４】
0004281882.tif 000005
【図５】
0004281882.tif 000006
【図６】
0004281882.tif 000007
【図７】
0004281882.tif 000008
【図８】
0004281882.tif 000009
【図９】
0004281882.tif 000010